【手続補正書】
【提出日】平成17年10月20日(2005.10.20)
【手続補正１】
【補正対象書類名】明細書
【補正対象項目名】発明の名称
【補正方法】変更
【補正の内容】
【発明の名称】画像形成装置、画像形成装置の制御方法、記憶媒体
【手続補正２】
【補正対象書類名】明細書
【補正対象項目名】特許請求の範囲
【補正方法】変更
【補正の内容】
【特許請求の範囲】
【請求項１】  本文用の画像の像形成がなされた本文用の複数枚のシートで構成される本文用のシート束を背表紙部分を基準にカバー可能な表紙用の１枚のシートの為に画像処理を実行可能な画像処理装置であって、
前記本文用の画像の像形成がなされた本文用の複数枚のシートで構成される本文用のシート束を背表紙部分を基準にカバー可能な前記表紙用の１枚のシートの同一面上に、表表紙用の画像と裏表紙用の画像を、前記画像処理装置により、配置させる、制御手段を有し、
前記制御手段は、
前記表紙用の１枚のシートの同一面上に表表紙用の画像と裏表紙用の画像を前記画像処理装置により配置させる場合に、操作手段を介して実行されたユーザの設定に基づいたサイズの背表紙幅を具備した該表紙用の１枚のシートの同一面上における背表紙領域を挟んで、該表表紙用の画像と該裏表紙用の画像を、該表紙用の１枚のシートの同一面上に、前記画像処理装置により、配置させる、ことを特徴とする画像処理装置。
【請求項２】  本文用の画像の像形成がなされた本文用の複数枚のシートで構成される本文用のシート束を背表紙部分を基準にカバー可能な表紙用の１枚のシートの為に画像処理を実行可能な画像処理装置の制御方法であって、
前記本文用の画像の像形成がなされた本文用の複数枚のシートで構成される本文用のシート束を背表紙部分を基準にカバー可能な前記表紙用の１枚のシートの同一面上に、表表紙用の画像と裏表紙用の画像を、前記画像処理装置により、配置させる場合に、操作手段を介して実行されたユーザの設定に基づいたサイズの背表紙幅を具備した該表紙用の１枚のシートの同一面上における背表紙領域を挟んで、該表表紙用の画像と該裏表紙用の画像を、該表紙用の１枚のシートの同一面上に、前記画像処理装置により、配置させる、ことを特徴とする制御方法。
【請求項３】  前記表表紙用の画像データと前記裏表紙用の画像データの読取動作が実行可能な前記画像処理装置が具備する原稿読取手段により読み取られる前記表表紙用の画像データの画像と前記裏表紙用の画像データの画像を前記表紙用の１枚のシートの同一面上に前記背表紙領域を挟んで隔離配置するための画像間隔を、前記操作手段を介してユーザにより、設定可能にし、
前記操作手段を介して設定された前記画像間隔に基づいて前記原稿読取手段により読み取られる前記表表紙用の画像データの画像と前記裏表紙用の画像データの画像を前記背表紙幅分隔離して配置されるように、前記画像処理装置が具備する記憶手段を用いて前記表表紙用の画像データと前記裏表紙用の画像データの画像展開を実行させる、ことを特徴とする請求項２記載の制御方法。
【請求項４】  前記表表紙用の画像と前記裏表紙用の画像を前記表紙用の１枚のシートの同一面上に前記背表紙領域を挟んで隔離配置するための画像間隔を、前記操作手段を介してユーザにより、設定可能にし、且つ、前記表紙用の１枚のシートのサイズを前記操作手段を介してユーザにより設定可能にし、且つ、前記表表紙用の画像及び前記裏表紙用の画像の少なくとも何れかの画像サイズを前記操作手段を介してユーザにより設定可能にし、
前記操作手段を介して設定された前記画像間隔ならびに前記表紙用の１枚のシートのサイズおよび前記表表紙用の画像及び前記裏表紙用の画像の少なくとも何れかの画像サイズに基づいて、前記表表紙用の画像と前記裏表紙用の画像を前記表紙用の１枚のシートの同一面上に前記背表紙幅を具備した該表紙用の１枚のシートの同一面上における背表紙領域を挟んで隔離配置させる為の画像データを、前記表表紙用の画像データと前記裏表紙用の画像データを記憶可能な前記画像処理装置が具備する記憶手段を用いて、作成させる、ことを特徴とする請求項２又は３記載の制御方法。
【請求項５】  前記記憶手段に記憶される画像データに基づいた画像を、前記画像処理装置が具備する前記画像形成手段により、前記表紙用の１枚のシート上に像形成させる、ことを特徴とする請求項３または４記載の制御方法。
【請求項６】  前記表表紙用の画像データと前記裏表紙用の画像データの読取動作が実行可能な前記画像処理装置が具備する原稿読取手段により読み取られる前記表表紙用の画像データの画像と前記裏表紙用の画像データの画像を前記表紙用の１枚のシートの同一面上に前記背表紙幅を具備した前記背表紙領域を挟んで隔離配置させる為の画像データを前記画像処理装置により作成させる際に、前記原稿読取手段の原稿台にユーザにより載置された前記表表紙用の原稿と前記裏表紙用の原稿を、順次給送して各原稿からそれぞれ前記表表紙用の画像データと前記裏表紙用の画像データの読み取りを前記原稿読取手段により実行させる、ことを特徴とする請求項２〜５の何れかに記載の制御方法。
【請求項７】  前記表表紙用の画像データと前記裏表紙用の画像データの読取動作が実行可能な前記画像処理装置が具備する原稿読取手段により読み取られる前記表表紙用の画像データと前記裏表紙用の画像データを前記背表紙幅分隔離し副走査方向に並べて配置されるように、前記画像処理装置が具備する記憶手段を用いて前記表表紙用の画像データと前記裏表紙用の画像データの画像展開を、前記画像処理装置により、実行させる、ことを特徴とする請求項２〜６の何れかに記載の制御方法。
【請求項８】  前記表表紙用の画像データと前記裏表紙用の画像データの読取動作が実行可能な前記画像処理装置が具備する原稿読取手段により読み取られる画像データを主走査方向に第１の所定数の画素および副走査方向に第２の所定数の画素の画素ブロック毎に分割し、該分割される各画素ブロック毎に画像情報を符号化，復合化することを特徴とする請求項３、６、７の何れかに記載の制御方法。
【請求項９】  前記表表紙用の画像と前記裏表紙用の画像を前記表紙用の１枚のシートの同一面上に前記背表紙幅を具備した該表紙用の１枚のシートの同一面上における背表紙領域を挟んで隔離配置させる為の画像データを、前記表表紙用の画像データと前記裏表紙用の画像データを記憶可能な前記画像処理装置が具備する記憶手段を用いて、前記画像処理装置により、作成させる場合に、前記記憶手段の副走査方向の１つの入力アドレス制御と複数の出力アドレス制御が可能なことを特徴とする請求項２〜８の何れかに記載の制御方法。
【請求項１０】  本文用の画像の像形成は行わずに、前記操作手段を介して実行されたユーザの設定に基づいたサイズの背表紙幅を具備した前記表紙用の１枚のシートの同一面上における背表紙領域を挟んで前記表表紙用の画像と前記裏表紙用の画像を該表紙用の１枚のシートの同一面上に配置形成させる画像形成動作を前記前記画像処理装置が具備する前記画像形成手段により実行させる為の処理モードを、前記操作手段を介してユーザにより、設定可能にする、ことを特徴とする請求項２〜９の何れかに記載の制御方法。
【請求項１１】通信手段を介して接続される情報処理装置からの画像データに対する処理を前記画像処理装置により実行可能にすることを特徴とする請求項２〜１０の何れかに記載の制御方法。
【請求項１２】  請求項２〜１１の何れかに記載の制御方法をコンピュータに実行させる為のプログラムを記憶したことを特徴とするコンピュータ読取可能な記憶媒体。
【手続補正３】
【補正対象書類名】明細書
【補正対象項目名】０００１
【補正方法】変更
【補正の内容】
【０００１】
【発明の属する技術分野】
本発明は、本文用の画像の像形成がなされた本文用の複数枚のシートで構成される本文用のシート束を背表紙部分を基準にカバー可能な表紙用の１枚のシートの為に画像処理を実行可能な画像処理装置の制御に関するものである。
【手続補正４】
【補正対象書類名】明細書
【補正対象項目名】０００６
【補正方法】変更
【補正の内容】
【０００６】
本発明は、上記の問題点を解決するためになされたもので、本発明の目的は、本文用の画像の像形成がなされた本文用の複数枚のシートで構成される本文用のシート束を背表紙部分を基準にカバー可能な表紙用の１枚のシートの同一面上に、表表紙用の画像と裏表紙用の画像を、画像処理装置により、配置させる場合に、操作手段を介して簡単な操作で、該表紙用の1枚のシートの同一面上に、表表紙用の画像と裏表紙用の画像を、迅速且つ正確に、所望の間隔で、画像処理装置により、配置させることができる仕組みを提供することである。
【手続補正５】
【補正対象書類名】明細書
【補正対象項目名】０００７
【補正方法】変更
【補正の内容】
【０００７】
【課題を解決するための手段】
本発明に係る画像処理装置は、以下の特徴的構成を備える。
本文用の画像の像形成がなされた本文用の複数枚のシートで構成される本文用のシート束を背表紙部分を基準にカバー可能な表紙用の１枚のシートの為に画像処理を実行可能な画像処理装置であって、前記本文用の画像の像形成がなされた本文用の複数枚のシートで構成される本文用のシート束を背表紙部分を基準にカバー可能な前記表紙用の１枚のシートの同一面上に、表表紙用の画像と裏表紙用の画像を、前記画像処理装置により、配置させる、制御手段を有し、前記制御手段は、前記表紙用の１枚のシートの同一面上に表表紙用の画像と裏表紙用の画像を前記画像処理装置により配置させる場合に、操作手段を介して実行されたユーザの設定に基づいたサイズの背表紙幅を具備した該表紙用の１枚のシートの同一面上における背表紙領域を挟んで、該表表紙用の画像と該裏表紙用の画像を、該表紙用の１枚のシートの同一面上に、前記画像処理装置により、配置させる、ことを特徴とする。
【手続補正６】
【補正対象書類名】明細書
【補正対象項目名】０００８
【補正方法】変更
【補正の内容】
【０００８】
本発明に係る画像処理装置の制御方法は、以下の特徴的構成を備える。
本文用の画像の像形成がなされた本文用の複数枚のシートで構成される本文用のシート束を背表紙部分を基準にカバー可能な表紙用の１枚のシートの為に画像処理を実行可能な画像処理装置の制御方法であって、
前記本文用の画像の像形成がなされた本文用の複数枚のシートで構成される本文用のシート束を背表紙部分を基準にカバー可能な前記表紙用の１枚のシートの同一面上に、表表紙用の画像と裏表紙用の画像を、前記画像処理装置により、配置させる場合に、操作手段を介して実行されたユーザの設定に基づいたサイズの背表紙幅を具備した該表紙用の１枚のシートの同一面上における背表紙領域を挟んで、該表表紙用の画像と該裏表紙用の画像を、該表紙用の１枚のシートの同一面上に、前記画像処理装置により、配置させる、ことを特徴とする。
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】０１５４
【補正方法】削除
【補正の内容】
【手続補正１７】
【補正対象書類名】明細書
【補正対象項目名】０１５５
【補正方法】削除
【補正の内容】
【手続補正１８】
【補正対象書類名】明細書
【補正対象項目名】０１５６
【補正方法】削除
【補正の内容】
【手続補正１９】
【補正対象書類名】明細書
【補正対象項目名】０１５７
【補正方法】削除
【補正の内容】
【手続補正２０】
【補正対象書類名】明細書
【補正対象項目名】０１５８
【補正方法】削除
【補正の内容】
【手続補正２１】
【補正対象書類名】明細書
【補正対象項目名】０１５９
【補正方法】削除
【補正の内容】
【手続補正２２】
【補正対象書類名】明細書
【補正対象項目名】０１６０
【補正方法】削除
【補正の内容】
【手続補正２３】
【補正対象書類名】明細書
【補正対象項目名】０１６１
【補正方法】削除
【補正の内容】
【手続補正２４】
【補正対象書類名】明細書
【補正対象項目名】０１６２
【補正方法】削除
【補正の内容】
【手続補正２５】
【補正対象書類名】明細書
【補正対象項目名】０１６３
【補正方法】削除
【補正の内容】
【手続補正２６】
【補正対象書類名】明細書
【補正対象項目名】０１６４
【補正方法】削除
【補正の内容】
【手続補正２７】
【補正対象書類名】明細書
【補正対象項目名】０１６５
【補正方法】変更
【補正の内容】
【０１６５】
【発明の効果】
以上説明したように、請求項１，２記載の発明によれば、本文用の画像の像形成がなされた本文用の複数枚のシートで構成される本文用のシート束を背表紙部分を基準にカバー可能な表紙用の１枚のシートの同一面上に、表表紙用の画像と裏表紙用の画像を、画像処理装置により、配置させる場合に、操作手段を介して簡単な操作で、該表紙用の１枚のシートの同一面上に、表表紙用の画像と裏表紙用の画像を、迅速且つ正確に、所望の間隔で、画像処理装置により、配置させることができる等の効果を奏する。